(57)【特許請求の範囲】
【請求項１】
内容物の充填空間につながる口部を有する本体部分と、この本体部分の口部に設けられ、詰替えるべき容器の口部にあてがって前記充填空間内の内容物を移し替える注出栓とを備えた詰替え容器であって、
前記注出栓が、本体部分の口部に係合保持されるベースと、このベースの天面壁にヒンジを介して揺動可能につながり、倒立姿勢でもって前記充填空間内の内容物を内部通路を通して注出する筒体と、この筒体の基端及び前記ベース側壁の相互間に一体的につながり、前記内部通路を残して前記本体部分の口部を密封状態に保持する可撓性のシール壁からなり、
前記ベースに、前記筒体を取り囲むとともに前記詰替えるべき容器の受け筒に連係するガイドと、前記筒体の横倒しによる収納姿勢でもって該筒体の内部通路の出入口の突端部に当接して該出入口をそれぞれ封止する封止壁を設け、
前記筒体の出口の突端部に当接する封止壁は、該筒体が収納姿勢に至るときに該突端部に設けた切欠部が乗り越えることでクリック音を誘発させる突起を有することを特徴とする詰替え容器。
【請求項２】
前記筒体は、内部通路の出口端に、該筒体の収納姿勢でもって前記ベースの天面に当接して該筒体の収納姿勢を維持するとともに、該筒体の引き起こしの際の摘みとして使用する舌片を有する、請求項１記載の詰替え容器。
【請求項３】
前記本体部分が、内容物の充填量が減るに伴って減容する薄肉壁部からなる、請求項１または２記載の詰替え容器。
【発明の詳細な説明】
【技術分野】
【０００１】
本発明は、詰替え容器に関するものであり、内容物の漏れ出しを起したり、手や衣服を汚すことなしに効率的に内容物を詰替えようとするものである。
【背景技術】
【０００２】
シャンプーやリンス、洗剤、消臭除菌剤あるいは化粧品等を入れる容器としては、内容物の適量取り出しを可能とするためにポンプの如き吐出器を備えられたものが数多く上市される傾向にあり、内容物を使いきったのちは、別途に市販されている詰替え容器から新たな内容物を移し替えて元の容器（詰替えるべき容器）を再利用するのが普通になってきており、これによって資源の有効活用が図られている（例えば、特許文献１参照）。
【０００３】
ところで、詰替え容器はもともと、パウチタイプの容器や薄肉のブロー成形品等腰がない（剛性が低い）容器が適用されており内容物の詰替えが行い難く、例えば特許文献１のように２つの容器をねじを介して連結したのち内容物の移し替えを行うなど、これまでに種々の提案がなされてきてはいるものの、従来の詰替え容器は、詰替え作業に手間がかかることからその改善が求められているのが現状であった。
【先行技術文献】
【特許文献】
【０００４】
【特許文献１】特開２０００−１５９２４９号公報
【発明の概要】
【発明が解決しようとする課題】
【０００５】
本発明の課題は、内容物の漏れ出し等の不具合を起すことなしに効率よく内容物を移し替えることができる新規な詰替え容器を提案するところにある。
【課題を解決するための手段】
【０００６】
本発明は、内容物の充填空間につながる口部を有する本体部分と、この本体部分の口部に設けられ、詰替えるべき容器の口部にあてがって前記充填空間内の内容物を移し替える注出栓とを備えた詰替え容器であって、
前記注出栓が、本体部分の口部に係合保持されるベースと、このベースの天面壁にヒンジを介して揺動可能につながり、倒立姿勢でもって前記充填空間内の内容物を内部通路を通して注出する筒体と、この筒体の基端及び前記ベース側壁の相互間に一体的につながり前記内部通路を残して前記本体部分の口部を密封状態に保持する可撓性のシール壁からなり、
前記ベースに、前記筒体を取り囲むとともに前記詰替えるべき容器の受け筒に連係するガイドと、前記筒体の横倒しによる収納姿勢でもって該筒体の内部通路の出入口に当接して該出入口をそれぞれ封止する封止壁を設け、
前記筒体の出口の突端部に当接する封止壁は、該筒体が収納姿勢に至るときに該突端部に設けた切欠部が乗り越えることでクリック音を誘発させる突起を有することを特徴とする詰替え容器である。
【０００７】
上記の構成からなる詰替え容器において、前記筒体の内部通路の出口端には、該筒体の収納姿勢でもって前記ベースの天面に当接して該筒体の収納姿勢をそのまま維持するとともに、該筒体の引き起こしの際の摘みとして使用する舌片を設けるのが好ましい。
【０００８】
また、本体部分は、内容物の充填量が減るにしたがって減容させて容器そのもののサイズをコンパクトにできるように薄肉にて構成するのが望ましい。
【発明の効果】
【０００９】
筒体を倒立させて詰替えるべき容器の受け筒に連係させるだけで充填空間内の内容物を移し替えることが可能となる。筒体を倒立させるにあたっては、受け筒の突端部に筒体の上端を引っ掛けて該筒体をヒンジを起点に揺動させることで引き起こす（倒立させる。）ことができるので手指を触れることなしに簡単な操作のもとで内容物の移し替えが行え、移し替えの際に内容物が手指あるいは衣服に付着することがない。
【００１０】
容器の本体部分を薄肉壁部としておくことで内容物の充填量が減るにしたがって減容させることが可能となり、廃棄に際してはコンパクトにまとめることができるのでゴミの減量化につながる。
【００１１】
封止壁に突起を設けておき、筒体が収納姿勢に至ったときに、該筒体の突端部が該突起を乗り越えてクリック音を発するようにしておくことにより、容器が密封状態におかれたことを確実に把握することができ内容物の不用意な漏洩を回避し得る。
【図面の簡単な説明】
【００１２】
【図１】（ａ）（ｂ）は本発明にしたがう詰替え容器の実施の形態を示した図であり、（ａ）は栓体の平面図、（ｂ）は側面を断面（図１（ａ）のＡ−Ａ断面）で示した図である。
【図２】（ａ）（ｂ）は図１に示した詰替え容器において注出栓の筒体を引き起こした状態を示した図であり（ａ）は栓体の平面図、（ｂ）は図２の断面（図２（ａ）のＢ−Ｂ断面）で示した図である。
【図３】図１に示した注出栓の外観斜視図である。
【図４】図１に示した詰替え容器を用いて元の容器に内容物を移し替える状況の説明図である。
【図５】図１に示した詰替え容器を用いて元の容器に内容物を移し替える状況の説明図である。
【図６】図１に示した詰替え容器を用いて元の容器に内容物を移し替える状況の説明図である。
【図７】図１に示した詰替え容器につき、内容物の移し替え要領を変更して示した図である。
【図８】図１に示した詰替え容器につき、内容物の移し替え要領を変更して示した図である。
【発明を実施するための形態】
【００１３】
以下、図面を参照して本発明をより具体的に説明する。
図１（ａ）（ｂ）、図２（ａ）（ｂ）、図３は、本発明にしたがう詰替え容器の実施の形態を模式的に示した図であり、図１は容器を開封する前の状態を示した図であり、図２は容器を開封した後の状態（詰替え可能状態）を示した図であり、図３は、栓体の外観斜視図である。
【００１４】
図における１は、詰替えるべき内容物を充填した容器である。容器１はその本体部分の内側に充填空間Ｍを有しており、頂部には、該充填空間Ｍにつながる口部１ａが成形されている。
【００１５】
この容器１は、内容物の充填量が減るにしたがい本体部分そのものの減容を可能とする袋状あるいは薄肉タイプのブローボトルやパウチ等が適用されている。
【００１６】
２は、容器１の口部１ａに設けられ、詰替えるべき容器の口部にあてがって充填空間Ｍ内の内容物を排出する注出栓である。この注出栓２は、本体部分の口部１ａにねじ止め（アンダーカット係合でもよい。）することによって着脱自在に係合するベース２ａと、このベース２ａの天面にヒンジｈを介して揺動可能につながる筒体２ｂ（蓋体を備えたものとして図示してある。）から構成されている。
【００１７】
上記ベース２ａは、本体部分の口部１ａの周りを取り囲む環状周壁２ａ１と、この環状周壁２ａ１の上端に一体連結する天面壁２ａ２とから形成されており、該天面壁２ａ２には、充填空間Ｍにつながる開口部Ｈが設けられている（図３参照）。
【００１８】
また、筒体２ｂは、内容物を通す内部通路を有する筒本体２ｂ１と、この筒本体２ｂ１を固定保持しヒンジｈを介して開口部Ｈの縁部に一体連結する保持板２ｂ２と、この保持板２ｂ２につながる舌片２ｂ３（摘みとして使用し得る。）からなっている。
【００１９】
３は、可撓性を有するシール壁である。このシール壁３は、筒体２ｂ（筒本体２ｂ１）の基端およびベース２ａの側壁（開口部Ｈの縁部）の相互間に一体的につながっていて該筒体２ｂの内部通路を残して本体部分の口部１ａを閉塞状態に保持する。
【００２０】
４は、ベース２ａの天面壁２ａ２において起立する湾曲板状のガイドである。このガイド４は、筒体２ｂを取り囲むように配置された、一または複数個からなり（図示のものは３個設けたものを例として示してある。）、詰替えるべき容器に設けた受け筒の外側壁に連係して筒体２ｂを受け筒の内側へ誘導する機能を有するものであって、このガイド４による誘導によってこぼれ出しを起こすことなしに内容物の確実な移し替えを行う。
【００２１】
５は、ベース２ａの天面壁２ａ２の下側で、開口部Ｈの縁部より垂下する封止壁である。この封止壁５は、天面壁２ａ２に一体的に設けられている。６は該封止壁５の対向位置で開口部Ｈの縁部より垂下する封止壁である。この封止壁６についても天面壁２ａ２に一体的に設けられていて、本体部分の口部１ａの内壁に当接して環状周壁２ａ１との相互間で該口部１ａを挟み込むように配置されている。
【００２２】
上記の封止壁５、６は、筒体２ｂが横倒しになっている図１に示すような収納姿勢では、該筒体２ｂの出入口（出口２ｂ４、入口２ｂ５）は、その突端部でそれぞれ封止壁５、６に当接していて封止状態に保たれている（詰替え容器は密閉されている。）が、図２に示すように、筒体２ｂをヒンジｈを起点に引き起こした倒立姿勢では、筒体２ｂ（筒本体２ｂ１）の出入口２ｂ４、２ｂ５は封止壁５、６から離反して開放されており（該筒体２ｂの内部通路が開通した状態にある。）、充填空間Ｍ内の内容物を注出することができるようになっている。封止壁６の壁面に突起ｔを設け、この突起ｔに適合する切欠部ｃを筒体２ｂの突端部に設け、筒体２ｂが収納姿勢に至るとき、あるいは筒体２ｂが引き起こされるときに、該筒体２ｂの突端部の切欠部ｃにおいて該突起ｔを乗り越えるようにしておくことでカッチというクリック音を誘発させることが可能となる。
【００２３】
図４は、本発明にしたがう詰替え容器の内容物を移し替えるための容器（内容物を詰替えるべき容器であって、以下、「元の容器」と記す。）を示した図である。図４における符号７は、元の容器、８は、元の容器７の口部７ａに設けられた受け筒である。
【００２４】
受け筒８は、元の容器７の口部７ａにねじ止めされる環状体（アンダーカット係合でもよい。）８ａと、この環状体８ａの上端に起立状態で一体連結する環状周壁８ｂと、元の容器７の口部７ａの内側において区画凹所を形成するとともにその縁部を全周にわたって環状体８ａの上端から一体連結したカップ部８ｃ（周壁８ｃ１とこの周壁８ｃ１の下端に一体的につながる底壁８ｃ２にて形成することができる。）と、このカップ部８ｃの底部中央において起立し、その内側に内容物の注入、注出路を形成する筒体８ｄから構成されている。
【００２５】
環状周壁８ｂは、その外側壁にねじ部が形成されており、図示しないオーバーキャップをねじ止めすることによって元の容器７を密封状態に保持することが可能となっている。また、カップ部８ｃの底部（底壁８ｃ２）は、一端から他端に向けて傾いていて、該底部が最も低くなる部位には、容器内に通じる貫通孔８ｃ３が形成されている。
【００２６】
詰替え容器内の内容物を元の容器８に移し替えるには、図４に示すように、まず、筒体２ｂに形成した舌片２ｂ３の先端部を筒体８ｄの先端内側に引っ掛け、次いで図５に示すようにその状態を保ったままヒンジｈを起点に筒体２ｂが倒立するように容器１そのものを動かす。そして、該筒体２ｂが倒立姿勢に至った時点で図６に示すように、筒体２ｂをガイド４に沿わせて筒体８の内側に差し込んでいけばよく、これにより、詰替え容器内の内容物は、筒体８ｄ内を通って元の容器７へと流れ出ていくことになる。
【００２７】
本発明にしたがう詰替え容器は、筒体２ｂに触れることなしに内容物の詰替えを行うことが可能であり、手指あるいは衣服に内容物が付着することがない。舌片２ｂ３を摘みとして使用しこれに指を掛けて筒体２ｂを引き起こしてももちろんよい。
【００２８】
また、本発明にしたがう詰替え容器は、図７、８に示すように、筒体２ｂに形成した舌片２ｂ３の先端部を筒体８ｄの先端外側に引っ掛けて筒体２ｂを倒立させてもよい。
【００２９】
内容物の詰替えに際しては筒体８ｄの外壁を伝わって内容物が流下することも想定されるが、この場合、流下した内容物は、カップ部８ｃの底壁８ｃ２に形成された貫通孔８ｃ３を経て元の容器７内へと至ることになり、詰替え容器内の内容物を全て元の容器７へ移行させ得る。
【００３０】
封止壁６には、図示はしないが突起を設けておくことも可能であり、筒体２ｂが収納姿勢に至る際に、該筒体２ｂの突端部がその一部分で該突起を乗り越えときクリック音（カッチという音）が誘発され、これにより容器が密封された状態になったかどうか容易に把握することできる。
【００３１】
シール壁３は、筒体２ｂ（筒本体２ｂ１）の基端およびベース２ａの側壁（開口部Ｈの縁部）の相互間に一体的につながるものとして説明したが、可撓性を有するシートを適用した別体物を後付けしてもよく、この点についてはとくに限定されない。
【００３２】
ベース２ａ、筒体２ｂ、シール壁３、ガイド４、封止壁５、６は全て一体連結した状態で成形することが可能であって、これにより注出栓２を一部材（一パーツ）で構成する可能で、注出栓の構造が簡素化できるだけでなく該注出栓の効率的な製造が行える。
【００３３】
容器１は、内容物の充填量が少なくなるに伴って本体部分の全体（口頚部を除く。）が減容（縮減）できるように薄肉とするのがよいが、例えば、口頚部の根元から肩部（胴部の上端）に至るまでの領域の肉厚を、他の領域（胴部及び底部）の肉厚よりも若干厚くしておいてもよく、これによれば減容した胴体部分を肩部において形成された凹所に収めることができるので、容器の廃棄に際してコンパクトにまとめ得る。また、かかる構造を採用することで、とくに、内容物の充填前における容器のスタッキング性の改善に寄与する。
【００３４】
筒体２ｂを構成する筒本体２ｂ１は、楕円形状を有するものを図示したが、該形状は楕円のみに限定されるものではなく、充填する内容物等に応じて種々変更することができる。
【産業上の利用可能性】
【００３５】
内容物のたれ落ちや手、衣服への付着を回避することが可能で、かつ、簡単な操作のもとで内容物の移し替えを行い得る詰替え容器が提供できる。
【符号の説明】
【００３６】
１  容器
１ａ  口部
２  注出栓
２ａ  ベース
２ｂ  筒体
３  シール壁
４  ガイド
５  封止壁
６  封止壁
７  元の容器
７ａ  口部
８  受け筒
８ａ  環状体
８ｂ  環状周壁
８ｃ  カップ部
Ｍ  充填空間
Ｈ  開口部
ｔ  突起
ｃ  切欠部
【図１】
0005512260.tif 000002
【図２】
0005512260.tif 000003
【図３】
0005512260.tif 000004
【図４】
0005512260.tif 000005
【図５】
0005512260.tif 000006
【図６】
0005512260.tif 000007
【図７】
0005512260.tif 000008
【図８】
0005512260.tif 000009